(57)【要約】【課題】スイッチカバーが設定操作に支障を来すことを防いで作業性を向上する。【解決手段】閉じた状態のスイッチカバー６３を開け、カバー８０ａに対して直立する位置までスイッチカバー６３を回動すれば、スイッチカバー６３の軸部６３ａが軸受け孔からスイッチカバー収納部６４の方へ移動し、それとともにスイッチカバー６３がスイッチカバー収納部６４内に収納される。このように機能設定用スイッチ４７を操作するために開いたスイッチカバー６３をスイッチカバー収納部６４に収納することができるから、従来例のようにスイッチカバー６３が機能設定用スイッチ４７の設定操作に支障を来すことがなく、機能設定用スイッチ４７による機能設定の作業性が向上できる。【選択図】        図１
2005073074.tif 000002
【特許請求の範囲】
【請求項１】
伝送ユニットと、複数の監視用端末器及び制御用端末器とを１対の伝送線を介して接続し、伝送ユニットから多重伝送信号を伝送して端末器をアクセスし、制御用端末器には対応する監視用端末器からの監視データに基づく負荷の制御データを与え、監視用端末器に対しては監視データを多重伝送信号に設けた返信待機期間中に伝送ユニットへ返信させる多重伝送系を構築し、伝送線に接続する多重伝送手段並びにローカルバスに接続する通信手段を備えたローカルインタフェースユニットと、このローカルインタフェースユニットが複数接続されたローカルバスに対して接続した第１の通信手段によりローカルインタフェースユニットを介して複数の伝送ユニットとの間で通信によるデータ授受を行ない、第２の通信手段により中央監視盤との間で通信を行うネットワークコントローラとを備えた遠隔監視制御システムにおいて、ローカルインタフェースユニット並びにネットワークコントロールユニットの器体表面に、少なくともデータ授受に関する複数種の機能を設定するための機能設定用スイッチと、機能設定用スイッチを開閉自在に覆うスイッチカバーと、スイッチカバーが収納される収納部と、開状態のスイッチカバーを収納部内に移動させる移動機構とが設けられたことを特徴とする遠隔監視制御システム。
【請求項２】
スイッチカバーは、鉛直下方側の端部を支点として回動自在に器体に枢支され、器体前面におけるスイッチカバーの鉛直下方に収納部が設けられたことを特徴とする請求項１記載の遠隔監視制御システム。
【請求項３】
ローカルインタフェースユニット及びネットワークコントロールユニットは、機能設定用スイッチの設定内容を読み取ってデータ授受に関する複数種の機能を実現するマイコンと、操作部が押操作されたときにマイコンをリセットするリセットスイッチとを備え、リセットスイッチの操作部を器体表面の機能設定用スイッチの近傍に配設するとともにスイッチカバーを閉じたときに操作部を押操作する操作リブがスイッチカバーに設けられたことを特徴とする請求項１又は２記載の遠隔監視制御システム。
【請求項４】
ローカルインタフェースユニット及びネットワークコントロールユニットは、外部の周辺装置に接続して当該周辺装置との間で通信する外部通信手段と、外部通信手段と周辺装置との間の通信路に接続されるコネクタとを備え、器体が電灯分電盤用協約形の寸法に形成されるとともに、電灯分電盤の前面側に露出する器体前面にコネクタが設けられたことを特徴とする請求項１又は２又は３記載の遠隔監視制御システム。
【請求項５】
ローカルインタフェースユニット及びネットワークコントロールユニットは、外部の周辺装置に接続して当該周辺装置との間で通信する外部通信手段と、外部通信手段と周辺装置との間の通信路に接続される第１のコネクタとを備え、ネットワークコントロールユニットは、第２の通信手段と中央監視盤との間の通信路に接続される第２のコネクタを備え、ローカルインタフェースユニット及びネットワークインタフェースユニットの器体に第１のコネクタを露出させる第１の開口窓と第２のコネクタを露出させる第２の開口窓とが設けられ、ローカルインタフェースユニットは、器体に設けられた第２の開口窓を塞ぐ蓋体を備えたことを特徴とする請求項１又は２又は３記載の遠隔監視制御システム。
【発明の詳細な説明】
【技術分野】
【０００１】
本発明は、多重伝送系を上位システムの中央監視盤等に接続するためのネットワークコントロールユニット並びにローカルインタフェースユニットを備えた遠隔監視制御システムに関するものである。
【背景技術】
【０００２】
従来から時分割多重伝送を用いて負荷の制御、監視を行なう遠隔監視制御システムがある。この遠隔監視制御システムは図１７に示すように伝送ユニット１からの一対の線路からなる伝送線４に、複数の制御用端末器３、壁スイッチのような操作スイッチ６の操作監視を行なう監視用端末器２を接続し、各制御用端末器３には照明負荷５を接続し、監視用端末器２には操作スイッチ６を接続して構成している。
【０００３】
監視制御系の動作について図１８に示す多重伝送信号に基づいて説明すると、伝送ユニット１からは図１８（ａ）に示すような形式を有した多重伝送信号Ｖｓが送出され、制御用端末器３、監視用端末器２が監視制御されるようになっている。即ち、多重伝送信号Ｖｓは、信号の送出開始を示すスタートパルスＳＴ、信号のモードを示すモードデータＭＤ、アドレスデータＡＤ、負荷を制御する制御データＣＤ、伝送誤りを検知するチェックサムデータＣＳ、返信データの返信待機期間を設定する返信待機期間ＷＴよりなる複極（±２４Ｖ）の時分割多重信号であり、パルス幅変調によってデータが伝送されるようになっている。
【０００４】
制御用端末器３、監視用端末器２では、それぞれ伝送線４を介して受信された多重伝送信号ＶｓのアドレスデータＡＤがあらかじめ設定されている自己のアドレスと一致したときに、その多重伝送信号Ｖｓの制御データＣＤを取り込むとともに、多重伝送信号Ｖｓの信号返信待機期間ＷＴに同期して返信データを電流モード信号（伝送線４の線間を適当な低インピーダンスを介して短絡して送出される信号）として返信するようになっている。
【０００５】
一方、伝送ユニット１には、ダミー信号送信手段と、割り込み処理手段とが設けられている。ダミー信号送信手段は、モードデータＭＤをダミーモードとした多重伝送信号Ｖｓを常時送出する。また、割り込み処理手段は図１８（ｃ）に示すような割り込み信号Ｖｉが返信されたときに、割り込み信号Ｖｉを発生した監視用端末器２から返信データを返信させるようになっている。すなわち、監視用端末器２は操作スイッチ６のスイッチ出力を接続し、このスイッチ出力がオン、或いはオフされたときにこのスイッチ入力の変化に応じて割り込み信号Ｖｉを送出するのである。伝送ユニット１では、この割り込み信号Ｖｉに対応して、割り込みをかけた端末器２をサーチするために、グループアドレス毎にアドレスサーチのための多重伝送信号Ｖｓを伝送する。割り込みをかけた監視用端末器２では属するグループがアクセスされたときに自己の固有アドレスを返信データとして返信する。
【０００６】
この返信により伝送ユニット１は、割り込みをかけた監視用端末器２を判定でき、次に当該監視用端末器２のアドレスデータＡＤを持つ多重伝送信号Ｖｓを伝送して当該監視用端末器２をアクセスし、当該監視用端末器２から接続された操作スイッチ６の操作データを返信データとして返信させるのである。このようにして監視用端末器２から返信された操作データに基いて、伝送ユニット１は、当該監視用端末器２に対応した負荷５を制御する制御用端末器３に与える制御データＣＤを作成し、この制御データＣＤを含む多重伝送信号Ｖｓを伝送線４を介して制御用端末器３に時分割多重伝送することにより、各照明負荷５を個別にオン、オフ制御するようになっている。
【０００７】
ところでこのような多重伝送系を、上位システムの中央監視盤等に接続する場合には、制御用端末器３を上位システムとのインタフェース用として用いて、制御用端末器の接点情報を上位システムに伝達する方法や、あるいは伝送線４にゲートウェイを接続し、ゲートウェイを介して負荷５を上位システムで監視制御する方法が従来用いられていた。しかし上記のような方法で上位システムを接続した場合、前者の方法では伝送線に短絡、断線等のトラブルが起きると、上位システムとの通信ができないという問題があった。また後者のゲートウェイを用いる方法では時分割多重伝送信号に一度変換する必要があるため、パターン設定等のデータ量の多いコマンドのときには、時間がかかるという問題があった。
【０００８】
上述の問題を解決するために伝送ユニットを備えたローカルコントロールユニットを用いてローカルネットワークを構築し、更にネットワークコントロールユニットを用いて上位システムとして設けられる中央監視盤を接続し、中央監視盤から通信コマンドで各多重伝送系の負荷の制御、監視、更に必要とするデータ設定やその設定データの確認等が行なえ、また多重伝送系同士の連動制御も可能な遠隔監視制御システムが提案されている（特許文献１参照）。
【０００９】
図１９は特許文献１に記載された従来例のシステム全体の構成を示しており、このシステムでは複数の多重伝送系を構築し、各多重伝送系には従来の伝送ユニットと、通信手段と、伝送ユニットと通信手段との間の信号処理を行なう信号処理手段とを持つローカルコントロールユニット１０1 …を設けてあり、各ローカルコントロールユニット１０1 …は第１の通信手段を用いて外部のパーソナルコンピュータ等からなる設定器１１等外部周辺装置を接続することができるとともに、第２の通信手段を用いてローカルバス１２に接続することができるようになっている。
【００１０】
ローカルバス１２はネットワークコントロールユニット１３と、インタフェースユニット１５とを介して上位システムの中央監視盤１４に接続されるようになっている。尚図中ではローカルバス１２は３線で示されているが、１線はシールド線のアース線である。一方各多重伝送系の伝送線４には、操作スイッチ６を設けた監視用端末器２、熱感知センサ７を設けた監視用端末器２’の他に、電灯分電盤用協約形のリモコンリレー８を通じて負荷５を制御する電灯分電盤用協約形のリレー制御用端末器３、或いは内蔵したリレーにより負荷５を制御する電灯分電盤用協約形の制御用端末器３’を接続しており、これら監視用端末器２、２’や制御用端末器３、３’の監視制御をローカルコントロールユニット１０1 …内の伝送ユニットで従来と同様に行なうようになっている。図中９はリモコンリレー８の電灯分電盤用協約形の電源用トランスである。
【００１１】
ネットワークコントロールユニット１３は、図２０に示すように電灯分電盤用協約形の寸法で形成したカバー１８０ａ、ボディ（図示せず）とからなる器体１８０に回路部を内蔵し、カバー１８０ａの上側面には中央監視盤１４との間で通信を行なうためのＲＳ２３２Ｃ用コネクタ１５２Ａと、パーソナルコンピュータ等からなる設定器１１との間で通信を行なうためのＲＳ２３２Ｃ用コネクタ１５２Ｂとを露設し、また上側側縁の図において左側部位には電源接続端子部１５３を、下側側縁の右側部位にはローカルバス１２を接続するネットワーク用の接続端子部１５４をそれぞれ露設している。また上記電源接続端子部１５３のやや下方のカバー１８０ａの前面には電源スイッチＳＷの操作部を露設してあり、この操作部によって、電源接続端子部１５３の位置が分かるようになっている。またカバー１８０ａの右側の前面には表示部１９１が設けられ、更に前面の中央下部には各種設定用ディプスイッチＳＷ3，ＳＷ4が設けられている。尚、ローカルコントロールユニット１０1の外観構造もほぼネットワークコントロールユニット１３と共通である。
【００１２】
ここで、上記ディップスイッチＳＷ3，ＳＷ4が不用意に操作されることを防止するため、ディップスイッチＳＷ3，ＳＷ4の露出位置にあたるカバー１８０ａには、スイッチカバー１６５，１６６を開閉自在に枢支し、設定時以外はスイッチカバー１６５，１６６を閉じてディップスイッチＳＷ3，ＳＷ4を覆うようになっている。
【特許文献１】特開平６−１４３６５号公報
【発明の開示】
【発明が解決しようとする課題】
【００１３】
ところで、上記スイッチカバー１６５，１６６は図示しないロック機構により閉じた状態でロックされて不用意に開かないようになっているが、開いた状態では何ら制約を受けることなく回動可能となっていた。このため、ディップスイッチＳＷ3，ＳＷ4を操作して各種設定を行う際にスイッチカバー１６５，１６６が閉じる方向に回動して操作に支障を来すことがあった。
【００１４】
本発明は上記事情に鑑みて為されたものであり、その目的は、スイッチカバーが設定操作に支障を来すことを防いで作業性が向上する遠隔監視制御システムを提供することにある。
【課題を解決するための手段】
【００１５】
請求項１の発明は、上記目的を達成するために、伝送ユニットと、複数の監視用端末器及び制御用端末器とを１対の伝送線を介して接続し、伝送ユニットから多重伝送信号を伝送して端末器をアクセスし、制御用端末器には対応する監視用端末器からの監視データに基づく負荷の制御データを与え、監視用端末器に対しては監視データを多重伝送信号に設けた返信待機期間中に伝送ユニットへ返信させる多重伝送系を構築し、伝送線に接続する多重伝送手段並びにローカルバスに接続する通信手段を備えたローカルインタフェースユニットと、このローカルインタフェースユニットが複数接続されたローカルバスに対して接続した第１の通信手段によりローカルインタフェースユニットを介して複数の伝送ユニットとの間で通信によるデータ授受を行ない、第２の通信手段により中央監視盤との間で通信を行うネットワークコントローラとを備えた遠隔監視制御システムにおいて、ローカルインタフェースユニット並びにネットワークコントロールユニットの器体表面に、少なくともデータ授受に関する複数種の機能を設定するための機能設定用スイッチと、機能設定用スイッチを開閉自在に覆うスイッチカバーと、スイッチカバーが収納される収納部と、開状態のスイッチカバーを収納部内に移動させる移動機構とが設けられたことを特徴とする。
【００１６】
この発明によれば、開いたスイッチカバーを収納部に収納することができるから、スイッチカバーが機能設定用スイッチの設定操作に支障を来すことがなく、機能設定用スイッチによる機能設定の作業性が向上できる。
【００１７】
請求項２の発明は、請求項１の発明において、スイッチカバーは、鉛直下方側の端部を支点として回動自在に器体に枢支され、器体前面におけるスイッチカバーの鉛直下方に収納部が設けられたことを特徴とする。
【００１８】
この発明によれば、スイッチカバーは自重で開く方向に回動しようとするから、スイッチカバーの操作性が向上できるとともに収納部への収納が容易になる。
【００１９】
請求項３の発明は、請求項１又は２の発明において、ローカルインタフェースユニット及びネットワークコントロールユニットは、機能設定用スイッチの設定内容を読み取ってデータ授受に関する複数種の機能を実現するマイコンと、操作部が押操作されたときにマイコンをリセットするリセットスイッチとを備え、リセットスイッチの操作部を器体表面の機能設定用スイッチの近傍に配設するとともにスイッチカバーを閉じたときに操作部を押操作する操作リブがスイッチカバーに設けられたことを特徴とする。
【００２０】
この発明によれば、機能設定用スイッチで機能設定を行った後にスイッチカバーを閉じれば、スイッチカバーの操作リブでリセットスイッチの操作部を押操作してマイコンをリセットすることができるため、機能設定後にマイコンをリセットする作業を忘れることがなく、機能設定の作業性も向上できる。
【００２１】
請求項４の発明は、請求項１又は２又は３の発明において、ローカルインタフェースユニット及びネットワークコントロールユニットは、外部の周辺装置に接続して当該周辺装置との間で通信する外部通信手段と、外部通信手段と周辺装置との間の通信路に接続されるコネクタとを備え、器体が電灯分電盤用協約形の寸法に形成されるとともに、電灯分電盤の前面側に露出する器体前面にコネクタが設けられたことを特徴とする。
【００２２】
この発明によれば、通信路のコネクタへの接続が容易になる。
【００２３】
請求項５の発明は、請求項１又は２又は３の発明において、ローカルインタフェースユニット及びネットワークコントロールユニットは、外部の周辺装置に接続して当該周辺装置との間で通信する外部通信手段と、外部通信手段と周辺装置との間の通信路に接続される第１のコネクタとを備え、ネットワークコントロールユニットは、第２の通信手段と中央監視盤との間の通信路に接続される第２のコネクタを備え、ローカルインタフェースユニット及びネットワークインタフェースユニットの器体に第１のコネクタを露出させる第１の開口窓と第２のコネクタを露出させる第２の開口窓とが設けられ、ローカルインタフェースユニットは、器体に設けられた第２の開口窓を塞ぐ蓋体を備えたことを特徴とする。
【００２４】
この発明によれば、ネットワークコントロールユニットの器体をローカルインタフェースユニットの器体と共用することが可能となり、部品の共通化によるコストダウンが図れる。
【発明の効果】
【００２５】
本発明によれば、開いたスイッチカバーを収納部に収納することができるから、スイッチカバーが機能設定用スイッチの設定操作に支障を来すことがなく、機能設定用スイッチによる機能設定の作業性が向上できるという効果がある。
【発明を実施するための最良の形態】
【００２６】
以下本発明を実施形態により説明する。但し、従来例と共通の構成には同一の符号を付して適宜図示並びに説明を省略する。
【００２７】
（実施形態１）
図２は本発明の実施形態のシステム全体の構成を示しており、このシステムでは複数の多重伝送系を構築し、各多重伝送系には多重伝送手段と、通信手段と、多重伝送手段と通信手段との間の信号処理を行なう信号処理手段とを持つローカルインタフェースユニット２１1 …を設けてあり、各ローカルインタフェースユニット２１1 …は多重伝送手段を用いて多重伝送系の伝送線４に接続することができ、第１の通信手段を用いて外部のパーソナルコンピュータ等からなる設定器１１等外部周辺装置を接続することができるとともに、第２の通信手段を用いてローカルバス１２に接続することができるようになっている。また、従来例と同様にローカルバス１２はネットワークコントロールユニット２０と、インタフェースユニット１５とを介して上位システムの中央監視盤（図示せず）に接続されるようになっている。尚、図中に示したように、本実施形態のシステムには従来のローカルコントロールユニット１０を含めることも可能である。
【００２８】
図７はネットワークコントロールユニット２０の回路構成を示している。ネットワークコントロールユニット２０は、図示するように全体の制御を行うマイコン４０と、ＲＳ４８５ドライバからなりネットワーク用の接続端子部５４を介してローカルバス１２に接続する通信回路４１と、ＲＳ２３２ＣドライバからなりＲＳ２３２Ｃ用コネクタ５２Ａを介して上位システム（中央監視盤）とのインタフェースユニット１５に接続するとともにＲＳ２３２Ｃ用コネクタ５２Ｂを介して設定器１１に接続する通信回路４２と、ＥＥＰＲＯＭ４３と、フラッシュメモリ４４と、電源用トランス９から供給される２４Ｖの交流電圧からマイコン４０の動作用電源等を作成する電源回路４５と、電源回路４５の出力から通信回路４１の動作用電源を作成する通信回路用電源回路４６と、複数個のＬＥＤを具備する表示部９１と、ディップスイッチＳＷ１，ＳＷ２を有する機能設定用スイッチ４７と、マイコン４０にリセット信号を出力するリセットスイッチ４８とを備えている。
【００２９】
マイコン４０はＲＳＣ２３２Ｃ及びＲＳ４８５のポーリング／セレクティング手順の制御機能と、通信回路４１とローカルバス１２とを介して各ローカルインタフェースユニット２１1 …との通信を行なう機能と、通信回路４１に中央監視盤が直接接続された場合にインタフェースするためのプロトコル変換機能と、通信回路４２を介して設定器１１との通信を行なう機能と、各ローカルインタフェースユニット２１1 …の管理及びその間の通信回路４２を通じた通信の管理機能と、中央監視盤、設定器１１からの通信コマンドを受け取り、各ローカルインタフェースユニット２１1 …を介して伝送ユニット１に分配し、各多重伝送系の負荷を制御、監視、更に多重伝送系に必要な諸データの設定、その設定データの確認を行ない、また中央監視盤、設定器１１へ、対応するデータを返信する機能と、更にローカルインタフェースユニット２１1 …を介して伝送ユニット１からの監視用端末器２の監視データを受け取り、ＥＥＰＲＯＭ４３に設定されているローカルインタフェースユニット２１1 …間の連動制御データに従い、ローカルインタフェースユニット２１1 …を介して該当する伝送ユニット１を指定したり或いは全てのローカルインタフェースユニット２１1 …を介して全伝送ユニット１に制御コマンドを送信する連動制御の機能とを備えている。尚、フラッシュメモリ４４には動作用プログラム等が格納され、ＥＥＰＲＯＭ４３には上記のゾーン登録データや、接続ローカルインタフェースユニット２１1 …のアドレスデータ等を記憶している。
【００３０】
尚、マイコン４０の出力ポートには表示部９１が接続されており、この表示部９１はネットワークコントロールユニット２０の作動表示と、ローカルバス１２を使用したネットワーク通信の異常、中央監視盤との通信異常、更に設定器１１との通信異常をそれぞれマイコン４０の制御の下で表示する発光ダイオードＬ１〜Ｌ５を備えている（図３参照）。
【００３１】
マイコン４０の入力ポートには、２つのディップスイッチＳＷ１，ＳＷ２からなる機能設定用スイッチ４７が接続されている。機能設定用スイッチ４７では、ＲＳ２３２Ｃの通信設定（ボーレートや語長及びパリティなど）とネットワークの通信設定（ボーレートなど）、並びに後述する負荷制御に関する状態設定を行うためのものである。また、マイコン４０のリセット端子にはリセットスイッチ４８が接続されており、リセットスイッチ４８が操作されてリセット端子にリセット信号が入力されるとマイコン４０がリセットされ、リセット後の再起動時に入力ポートから機能設定用スイッチ４７の設定状態を読み込む。すなわち、機能設定用スイッチ４７で設定内容を変更した場合に変更後の設定を有効にするためにはマイコン４０をリセットさせる必要がある。
【００３２】
上述の回路を構成するマイコン４０や通信回路４１，４２等は、図３に示すように２枚のプリント配線板７３，８２に振り分けて実装され、円筒形のスペーサ８３を介して２枚のプリント配線板７３，８２を平行に対向する状態で固定ねじ８４により結合している。尚、図中上側のプリント配線板７３には、２つのＲＳ２３２Ｃ用コネクタ５２Ａ，５２Ｂ、表示部９１の５の発光ダイオードＬ１〜Ｌ５、機能設定用スイッチ４７たる２つのディップスイッチＳＷ１，ＳＷ２並びにリセットスイッチ４８が実装されている。
【００３３】
ネットワークコントロールユニット２０の器体８０は、図１及び図３に示すように電灯分電盤用協約形の寸法で形成したカバー８０ａとボディ８０ｂを組立ねじ８１により結合して組み立てられるものであって、スペーサ８３を介して一体に結合された２枚のプリント配線板７３，８２を内部に収納している。図１（ａ）に示すようにカバー８０ａ前面の右側端部には後方へ落ち込んだ段部が形成され、この段部の側面に形成された第１及び第２の開口窓を通して２つのＲＳ２３２Ｃ用コネクタ５２Ａ，５２Ｂが上下方向に並べて露出され、カバー８０ａ前面の左側端部には電源接続端子部５３並びにネットワーク用の接続端子部５４がそれぞれ露設されている。また、カバー８０ａ前面の右上には表示部９１の５つの発光ダイオードＬ１〜Ｌ５の光を外部に照射するための透孔８５が貫設され、さらに前面の左下に設けられた凹所８６の底面に２つのディップスイッチＳＷ１，ＳＷ２とリセットスイッチ４８の操作部が露出させてある。
【００３４】
図３に示すようにカバー８０ａの前面には銘板７０が貼着されている。電源接続端子部５３は図示するように端子ねじ５３ａと、端子ねじ５３ａを螺合する端子板５３ｂとで構成される端子金具からなり、カバー８０ａに形成した端子金具取付け凹部６０内に配設される。接続端子部５４も同じく端子ねじ５４ａと端子板５４ｂとで構成される端子金具からなり、各端子金具はカバー８０ａに形成した凹部６０内に配設される。ここで器体８０はローカルインタフェースユニット２１1，…の器体にも使用されるため、他の端子金具を取付けるための端子金具取付け凹部６０を設けてあるがネットワークコントロールユニット２０としては不要であるため、孔隠し用銘板６１を各々不要な端子金具取付け凹部６０に嵌めてある（図１参照）。また同様にカバー８０ａ前面における右上部には伝送線４を接続するための接続端子部用の端子金具取付け凹部６２を設けてあるが、不要であるため孔隠し用銘板６１を嵌めてある。
【００３５】
上記ディップスイッチＳＷ１，ＳＷ２並びにリセットスイッチ４８が露出する凹所８６の開口を開閉自在に塞ぐスイッチカバー６３がカバー８０ａに軸支されている。このスイッチカバー６３は、図３に示すように長細い矩形平板状に形成され、長手方向に沿った一端側の両端に軸部６３ａが突設されており、これら一対の軸部６３ａをカバー８０ａの凹所８６前面に形成された軸受け孔（図示せず）に嵌めることで回動自在に軸支されるものである。ここで、カバー８０ａ前面における凹所８６の近傍には、図１（ａ）における上下方向に沿った溝状のスイッチカバー収納部６４が形成され、このスイッチカバー収納部６４の前端縁が上記軸受け孔と連通させてある（図５参照）。尚、図５に示すようにスイッチカバー６３の長手方向に対向する両端面にはロック爪６３ｂが突設されており、カバー８０ａ前面の凹所８６周縁に形成されたロック孔８７にロック爪６３ｂを係止することでスイッチカバー６３が閉じた状態に保持されるようになっている。また、カバー８０ａ前面の凹所８６の近傍には指先が入る程度の窪み９８が形成されており、この窪み９８に指先を入れてスイッチカバー６３の端部を持ち上げるようにすれば、ロック爪６３ｂとロック孔８７との係止を外してスイッチカバー６３を開くことができる。
【００３６】
而して、図６（ａ）（ｂ）に示すように閉じた状態のスイッチカバー６３を開け、図６（ｃ）に示すようにカバー８０ａに対して直立する位置までスイッチカバー６３を回動すれば、スイッチカバー６３の軸部６３ａが軸受け孔からスイッチカバー収納部６４の方へ移動し、それとともにスイッチカバー６３がスイッチカバー収納部６４内に収納されるようになっている（図６（ｄ）参照）。すなわち、互いに連通する軸受け孔とスイッチカバー収納部６４とで移動機構が構成されている。このように機能設定用スイッチ４７（ディップスイッチＳＷ１，ＳＷ２）を操作するために開いたスイッチカバー６３をスイッチカバー収納部６４に収納することができるから、従来例のようにスイッチカバー６３が機能設定用スイッチ４７の設定操作に支障を来すことがなく、機能設定用スイッチ４７による機能設定の作業性が向上できるものである。
【００３７】
次にローカルインタフェースユニット２１1，…は、図８〜図１０に示すようにネットワークコントロールユニット２０と同じ形状の器体８０を使用しており、このローカルインタフェースユニット２１1，…はローカルバス１２に接続するための入力側接続端子部１２０Ａ並びに出力側接続端子部１２０Ｂと、設定器１１等外部周辺装置を接続するＲＳ２３２Ｃ用コネクタ５２Ｂと、伝送線４を接続するための接続端子部１３０とを備え、ネットワークコントロールユニット２０においてＲＳ２３２Ｃ用コネクタ５２Ａを露出していた第１の開口窓を塞ぐ蓋体９２を備えている点でネットワークコントロールユニット２０と構造上の構成が異なる。但し、その他の構造は基本的にネットワークコントロールユニット２０と同じ構造となっているので、同一の構成要素には同一の番号を付して説明を省略する。
【００３８】
図１１はローカルインタフェースユニット２１1，…のカバー８０ａを背面側から見た斜視図である。カバー８０ａの段部にはＲＳ２３２Ｃ用コネクタ５２Ａを露出するための第１の開口窓９３と、ＲＳ２３２Ｃ用コネクタ５２Ｂを露出するための第２の開口窓９４とが設けられているが、ローカルインタフェースユニット２１1，…にはローカルバス１２に接続するためのＲＳ２３２Ｃ用コネクタ５２Ａが不要であり、蓋体９２によって第１の開口窓９３を閉塞するようにしている。すなわち、カバー８０ａ内部の第１の開口窓９３の周縁には矩形板状に形成された蓋体９２の端部が嵌合する嵌合溝９５が形成されており、図１２（ａ）に示すように矩形板状に形成された蓋体９２の両端面に突出する突起９２ａをカバー８０ａに設けられた孔９６に嵌入し、長手方向の他端縁を嵌合溝９５に嵌合することでカバー８０ａに取り付けられて第１の開口窓９３を覆っている（図１２（ｂ）参照）。
【００３９】
而して、第１の開口窓９３を蓋体９２で塞ぐことによりローカルインタフェースユニット２１の器体８０は密閉された状態となって何の問題もなく使用可能であり、ネットワークコントロールユニット２０の器体８０をローカルインタフェースユニット２１1，…の器体８０と共用することが可能となり、部品の共通化によるコストダウンが図れるものである。
【００４０】
図１３はローカルインタフェースユニット２１1，…の回路構成を示している。ローカルインタフェースユニット２１1，…は、図示するように全体の制御を行うマイコン４０’と、ＲＳ４８５ドライバからなり入力側及び出力側の接続端子部１２０Ａ，１２０Ｂを介してローカルバス１２に接続する通信回路４１と、ＲＳ２３２ＣドライバからなりＲＳ２３２Ｃ用コネクタ５２Ｂを介して設定器１１に接続する通信回路４２と、ＥＥＰＲＯＭ４３と、フラッシュメモリ４４と、電源用トランス９から供給される２４Ｖの交流電圧からマイコン４０’の動作用電源等を作成する電源回路４５と、電源回路４５の出力から通信回路４１の動作用電源を作成する通信回路用電源回路４６と、複数個のＬＥＤを具備する表示部９１と、ディップスイッチＳＷ３，ＳＷ４を有する機能設定用スイッチ４７’と、マイコン４０’にリセット信号を出力するリセットスイッチ４８と、接続端子部１３０を介して伝送線４に接続する送受信回路４９とを備えている。
【００４１】
マイコン４０’は、ＲＳＣ２３２Ｃ及びＲＳ４８５のポーリング／セレクティング手順の制御機能と、通信回路４１とローカルバス１２とを介してネットワークコントロールユニット２０並びに各ローカルインタフェースユニット２１1…との通信を行なう機能と、通信回路４２を介して設定器１１との通信を行なう機能と、ＲＳ２３２Ｃ或いはＲＳ４８５の通信で受信した通信コマンドに従い、負荷５の制御、監視、アドレスデータ等遠隔監視に必要とする設定データの設定、その設定データの確認等の指示を送受信回路４９を通じて伝送ユニット１へ行なう機能、さらに通信コマンドの送信元にこれらの制御、監視、設定、確認等に応じたデータを送受信回路４９を通じて返信させる機能を有し、伝送ユニット１から送受信回路４９を通じて監視用端末器２の監視データを受信した場合、マイコン４０’と通信回路４１とローカルバス１２とを介してネットワークコントロールユニット２０に送信し、ネットワークコントロールユニット２０を介した他の多重伝送系の制御を行なう連動制御を実現する機能と、更に上位からの通信により受信したゾーン制御コマンドを、ＥＥＰＲＯＭ４３に記憶されたゾーン割り付けデータを参照してパターン制御コマンドに変換し、伝送ユニット１に指示を出す機能を有し、更に送受信回路４９を介して伝送ユニット１からの負荷５の状態変化の通知を受信し、上位に通信する機能を有する。
【００４２】
マイコン４０’の入力ポートには、２つのディップスイッチＳＷ３，ＳＷ４からなる機能設定用スイッチ４７’が接続されている。機能設定用スイッチ４７’では、ネットワークの通信設定（ボーレートなど）、並びにローカルインタフェースユニット２１1，…に付与された特定のアドレスの管理、終端に配置されたときのように終端抵抗を接続しているか否かの設定、負荷５のオールオンオフ制御、グループ制御、パターン制御、ゾーン制御の状態変化の通知を上位に対して行なうか否かの設定を行うためのものである。また、マイコン４０’のリセット端子にはリセットスイッチ４８が接続されており、リセットスイッチ４８が操作されてリセット端子にリセット信号が入力されるとマイコン４０’がリセットされ、リセット後の再起動時に入力ポートから機能設定用スイッチ４７’の設定状態を読み込む。すなわち、機能設定用スイッチ４７’で設定内容を変更した場合に変更後の設定を有効にするためにはマイコン４０’をリセットさせる必要がある。
【００４３】
最後に本システムの動作を簡単に説明する。まず所定の多重伝送系に対するゾーン制御の場合、中央監視盤からネットワークコントロールユニット２０にゾーン制御コマンドが送られてくると、ネットワークコントロールユニット２０は所定、例えばローカルインタフェースユニット２１1にゾーン制御コマンドを送る。ローカルインタフェースユニット２１1ではパータン制御のデータに変換し多重伝送により伝送ユニット１に送る。ローカルインタフェースユニット２１1からデータを受け取った伝送ユニット１では、パターン制御対象の各負荷５を制御する負荷制御データを作成し、各制御用端末器３に多重伝送により伝送して負荷制御を行なう。そして、それぞれの制御用端末器３から送られてくる制御後の状態監視のデータを受信した伝送ユニット１ではパターン制御の結果の照合を行ない、制御対象となった負荷５を操作する監視用端末器２に表示制御データを伝送して操作スイッチ６に対応する負荷５の状態を表示させる。またローカルインタフェースユニット２１1では伝送ユニット１から受け取ったパターン制御の結果をゾーン状態データに変換してネットワークコントロールユニット２０に返信し、ネットワークコントロールユニット２０はこの受信したゾーン制御結果を中央監視盤に返信する。
【００４４】
また複数の多重伝送系に対するゾーン制御の場合、中央監視盤からネットワークコントロールユニット２０にゾーン制御コマンドが送られてくると、ネットワークコントロールユニット２０は指定された二つのローカルインタフェースユニット２１1，２１2にゾーン制御コマンドを送るのである。個々のローカルインタフェースユニット２１1，２１2での処理は上述の場合と同じであり、また返信の処理も同じである。
【００４５】
さらに多重伝送系の負荷５をパターン制御する場合、中央監視盤からパターン（グループ）制御コマンドを受け取ったネットワークコントロールユニット２０は、パターン制御コマンドを更に対応するローカルインタフェースユニット２１1に送る。以後の処理は上記のゾーン制御と同じであって、ローカルインタフェースユニット２１1からネットワークコントロールユニット２０に返信するデータはパターン制御結果となり、このパターン制御結果は更にネットワークコントロールユニット２０から中央監視盤へ返信される。
【００４６】
あるいはローカルインタフェースユニット２１1，…間の連動制御の場合、例えばある多重伝送系に設けたパターン制御用の監視用端末器２の操作スイッチが操作されてその監視データが伝送ユニット１に返信されると、伝送ユニット１は当該監視用端末器２に表示制御データを伝送し、また監視データに基づいて監視用端末器２の操作スイッチが操作されたことをローカルインタフェースユニット２１1，…を介してネットワークコントロールユニット２０に通知する。また同時に対応する制御用端末器３に負荷制御データを伝送して対応する負荷制御を行なう。この負荷制御による状態監視データを受け取った伝送ユニット１では制御対象となった負荷５を操作する監視用端末器２に表示用の制御データを伝送して操作スイッチ６に対応する負荷５の状態を表示させ、また同様に監視用端末器２に表示用の制御データを伝送してパターン状態を表示させる。
【００４７】
一方上記通知を受けたネットワークコントロールユニット２０はローカルインタフェースユニット２１1に対して連動関係のあるローカルインタフェースユニット２１2にパターン一斉制御コマンドを送信する。ローカルインタフェースユニット２１2は受信したパターン一斉制御コマンドを多重伝送により伝送ユニット１に伝送し、伝送ユニット１がパターン一斉制御コマンドに応じて他の伝送ユニット１と同様に対応する負荷５の制御と状態表示の制御を行なう。
【００４８】
（実施形態２）
図１４は本実施形態におけるネットワークコントロールユニット２０を示している。本実施形態のネットワークコントロールユニット２０はスイッチカバー６３の裏面（凹所８６と対向する面）にリセットスイッチ４８の操作部を押操作するための操作リブ６３ｃが突設されている点に特徴があり、その他の構成については実施形態１におけるネットワークコントロールユニット２０と共通である。よって、実施形態１のものと共通の構成要素には同一の符号を付して説明を省略する。
【００４９】
実施形態１で説明したように機能設定用スイッチ４７の設定後にはリセットスイッチ４８を操作してマイコン４０をリセットする必要がある。しかしながら、機能設定用スイッチ４７を操作して機能設定を行った後に作業者がリセットスイッチ４８の操作を忘れることがあった。
【００５０】
しかしながら本実施形態では、機能設定用スイッチ４７の設定後にスイッチカバー６３を閉じれば、図１４（ｃ）に示すようにスイッチカバー６３の裏面に突設されている操作リブ６３ｃでリセットスイッチ４８が操作されるため、機能設定を行った後に作業者がリセットスイッチ４８の操作を忘れることがなく、機能設定の作業性も向上できるものである。尚、本実施形態ではネットワークコントロールユニット２０について説明したが、ローカルインタフェースユニット２１1，…についても同様の構成が採用可能であることはいうまでもない。
【００５１】
（実施形態３）
図１５は本実施形態におけるネットワークコントロールユニット２０を示している。本実施形態のネットワークコントロールユニット２０は、機能設定用スイッチ４７を設ける凹所８６がカバー８０ａ前面の下端部に設けられ、スイッチカバー６３が鉛直下方側の端部を支点として回動自在にカバー８０ａに枢支されるとともに、カバー８０ａ前面におけるスイッチカバー６３の鉛直下方にスイッチカバー収納部６４が設けられている点に特徴がある。但し、その他の構成については実施形態１におけるネットワークコントロールユニット２０と共通であるから、実施形態１のものと共通の構成要素には同一の符号を付して説明を省略する。
【００５２】
器体８０が電灯分電盤用協約形の寸法に形成されたネットワークコントロールユニット２０は、図１５（ａ）における上下方向を鉛直方向に略一致させて設置される。そのため、本実施形態のネットワークコントロールユニット２０ではスイッチカバー６３が自重で開く方向に回動しようとするから、実施形態１におけるネットワークコントロールユニット２０のようにスイッチカバー６３が水平方向に開閉する場合に比較してスイッチカバー６３の操作性が向上できるとともにスイッチカバー収納部６４へのスイッチカバー６３の収納が容易になるものである。尚、本実施形態ではネットワークコントロールユニット２０について説明したが、ローカルインタフェースユニット２１1，…についても同様の構成が採用可能であることはいうまでもない。
【００５３】
（実施形態４）
図１６は本実施形態におけるローカルインタフェースユニット２１1，…を示している。本実施形態のローカルインタフェースユニット２１1，…は、ＲＳ２３２Ｃ用コネクタ５２Ｂがカバー８０ａ前面に設けられ、器体８０の前方から通信路が接続できる点に特徴がある。但し、その他の構成については実施形態１におけるローカルインタフェースユニット２１1，…と共通であるから、実施形態１のものと共通の構成要素には同一の符号を付して説明を省略する。
【００５４】
カバー８０ａ前面の右側下部に凹所９７が設けられ、この凹所９７に、接続方向を前後方向（図１６（ａ）において紙面に垂直な方向）としてＲＳ２３２Ｃ用コネクタ５２Ｂが配設されている。
【００５５】
而して、実施形態１におけるローカルインタフェースユニット２１1，…のように、カバー８０ａの側面に接続方向を左右方向としてＲＳ２３２Ｃ用コネクタ５２Ｂが設けられている場合に比較して、本実施形態におけるローカルインタフェースユニット２１1，…ではＲＳ２３２Ｃ用コネクタ５２Ｂへの通信路の接続作業が容易になるという利点がある。尚、本実施形態ではローカルインタフェースユニット２１1，…について説明したが、ネットワークコントロールユニット２０についても同様の構成が採用可能であることはいうまでもない。
【図面の簡単な説明】
【００５６】
【図１】実施形態１におけるネットワークコントロールユニットを示し、（ａ）はスイッチカバーをスイッチカバー収納部に収納した状態の正面図、（ｂ）は左側面図、（ｃ）は下面図、（ｄ）はスイッチカバーを閉じた状態の正面図である。
【図２】同上のシステム構成図である。
【図３】同上におけるネットワークコントロールユニットの分解斜視図である。
【図４】同上におけるネットワークコントロールユニットの分解斜視図である。
【図５】同上におけるネットワークコントロールユニットを示し、（ａ）はスイッチカバーをスイッチカバー収納部に収納した状態の部分斜視図、（ｂ）はスイッチカバーをスイッチカバー収納部に収納した状態の部分断面図である。
【図６】同上におけるネットワークコントロールユニットのスイッチカバーの操作手順を説明する説明図である。
【図７】同上におけるネットワークコントロールユニットの回路構成図である。
【図８】同上におけるローカルインタフェースユニットの分解斜視図である。
【図９】同上におけるローカルインタフェースユニットの分解斜視図である。
【図１０】同上におけるローカルインタフェースユニットを示し、（ａ）はスイッチカバーを閉じた状態の正面図、（ｂ）は左側面図、（ｃ）は下面図である。
【図１１】同上におけるローカルインタフェースユニットのカバー及び蓋体の分解斜視図である。
【図１２】（ａ）（ｂ）は同上におけるローカルインタフェースユニットのカバー及び蓋体の要部斜視図である。
【図１３】同上におけるローカルインタフェースユニットの回路構成図である。
【図１４】実施形態２におけるネットワークコントロールユニットを示し、（ａ）はスイッチカバーを閉じた状態の正面図、（ｂ）は左側面図、（ｃ）は一部破断した下面図である。
【図１５】実施形態３におけるネットワークコントロールユニットを示し、（ａ）はスイッチカバーをスイッチカバー収納部に収納した状態の正面図、（ｂ）は左側面図、（ｃ）は下面図、（ｄ）はスイッチカバーを閉じた状態の正面図である。
【図１６】実施形態４におけるローカルインタフェースユニットを示し、（ａ）はスイッチカバーを閉じた状態の正面図、（ｂ）は右側面図、（ｃ）は下面図である。
【図１７】従来例のシステム構成図である。
【図１８】多重伝送系に用いられる多重多重伝送信号の説明図である。
【図１９】従来例のシステム構成図である。
【図２０】従来例におけるネットワークコントロールユニットの正面図である。
【符号の説明】
【００５７】
２０  ネットワークコントロールユニット
４７  機能設定用スイッチ
６３  スイッチカバー
６４  スイッチカバー収納部
８０  器体
８０ａ  カバー
８０ｂ  ボディ
【図１】
2005073074.tif 000003
【図２】
2005073074.tif 000004
【図３】
2005073074.tif 000005
【図４】
2005073074.tif 000006
【図５】
2005073074.tif 000007
【図６】
2005073074.tif 000008
【図７】
2005073074.tif 000009
【図８】
2005073074.tif 000010
【図９】
2005073074.tif 000011
【図１０】
2005073074.tif 000012
【図１１】
2005073074.tif 000013
【図１２】
2005073074.tif 000014
【図１３】
2005073074.tif 000015
【図１４】
2005073074.tif 000016
【図１５】
2005073074.tif 000017
【図１６】
2005073074.tif 000018
【図１７】
2005073074.tif 000019
【図１８】
2005073074.tif 000020
【図１９】
2005073074.tif 000021
【図２０】
2005073074.tif 000022